(57)【要約】【課題】同時燃焼時の結露の発生を風呂追い焚き用熱交換器に流れる浴槽水の流量を下げて抑制する制御において、流水スイッチが検知可能な最小流量よりさらに流量を少なくできる風呂給湯器を提供する。【解決手段】流水スイッチ６３がオンするまで循環ポンプ６２の稼働速度を一旦上げてから次第に下げていくことを流水スイッチ６３がオフになった後も継続し、このとき風呂戻り温度センサ６４と風呂往き温度センサ６５の検出温度の差と、風呂追い焚き用熱交換器３２に与えた熱量とから浴槽水の流量を算出する。稼働速度を下げても、算出される流量が減少しないとき浴槽水の流れが実際に止まったと判定し、その直前の稼働速度を循環ポンプ６２の最小稼働速度に設定する。給湯と風呂追い焚きを同時に行う場合に、結露の可能性がある場合は、風呂追い焚きを単独で行う場合に比べて循環ポンプ６２の稼働速度を、最小稼働速度を下限値にして、下げる制御を行う。【選択図】図１
2017122535.tif 000002
【特許請求の範囲】
【請求項１】
給水元に通じる給水管が入側に接続され、出湯先に通じる給湯管が出側に接続された給湯用熱交換器と、
前記給湯用熱交換器を加熱する給湯バーナと、
浴槽に通じる風呂戻り管が入側に接続され、前記浴槽に通じる風呂往き管が出側に接続された風呂追い焚き用熱交換器と、
前記風呂追い焚き用熱交換器を加熱する風呂バーナと、
前記給湯バーナと前記風呂バーナに共通に設けられて、これらに供給するガス量を調整するための比例弁と、
前記浴槽から前記風呂戻り管、前記風呂追い焚き用熱交換器、前記風呂往き管を通じて前記浴槽に戻る風呂追い焚き回路に設けられた循環ポンプと、
前記風呂追い焚き回路における浴槽水の流れの有無を検出する流水スイッチと、
前記風呂戻り管に設けられて管内の水温を検出する風呂戻り温度センサと、
前記風呂往き管に設けられて管内の水温を検出する風呂往き温度センサと、
前記給湯バーナと前記風呂バーナの燃焼および前記循環ポンプの稼働を制御する制御部と
を有し、
前記制御部は、
前記流水スイッチがオンになるまで前記循環ポンプの稼働速度を一旦上げてから、前記循環ポンプの稼働速度を次第に下げていくことを前記流水スイッチがオフになった後も継続し、このとき前記風呂戻り温度センサと前記風呂往き温度センサの検出温度の差と、風呂追い焚き用熱交換器に与えた熱量とから、前記風呂追い焚き回路に流れる浴槽水の流量を算出し、前記循環ポンプの稼働速度を下げているのに前記算出した流量が減少しなければ、前記風呂追い焚き回路における浴槽水の流れが実際に止まったと判定して、前記流水スイッチがオフになる領域において浴槽水の流れを確保可能な前記循環ポンプの最小稼働速度を求める工程を実施し、
給湯と風呂追い焚きを同時に行う場合に、給湯側を優先して前記比例弁の開度を制御すると共に、前記風呂追い焚き熱交換器で結露の可能性があるか否かを判定し、結露の可能性があると判定した場合は、風呂追い焚きを単独で行う場合に比べて、前記循環ポンプの稼働速度を、前記最小稼働速度を下限値にして、下げる制御を行う
ことを特徴とする風呂給湯器。
【請求項２】
前記制御部は、給湯と風呂追い焚きを同時に行う場合であって前記結露の可能性があると判定した場合に、前記工程を行って前記最小稼働速度を求め、その後、前記流水スイッチがオンになるまで前記循環ポンプの稼働速度を一旦上げてから、前記下げる制御を行う
ことを特徴とする請求項１に記載の風呂給湯器。
【請求項３】
前記制御部は、給湯と風呂追い焚きを同時に行う場合に前記循環ポンプの稼働速度を前記最小稼働速度まで下げても前記風呂追い焚き用熱交換器で結露する可能性がある場合は、前記給湯バーナへのガスの供給を遮断する
ことを特徴とする請求項１または２に記載の風呂給湯器。
【請求項４】
前記風呂追い焚き用熱交換器は、潜熱および顕熱を回収する潜熱回収型熱交換器である
ことを特徴とする請求項１乃至３のいずれか１つに記載の風呂給湯器。
【発明の詳細な説明】
【技術分野】
【０００１】
本発明は、給湯用のバーナと風呂追い焚き用のバーナに供給するガス量を共通の比例弁で制御する風呂給湯器に関する。
【背景技術】
【０００２】
風呂給湯器においては、燃焼ガスの供給量を調整するためのガス比例弁を給湯用バーナと風呂追い焚き用バーナに個別に設けることはコスト削減等の要請から行われず、通常、これらに対して共通のガス比例弁が設けられる。そして、給湯と風呂追い焚きが同時に使用されて、給湯用バーナと風呂追い焚き用バーナを同時燃焼させるときは、給湯温度が目標温度になるように、給湯用バーナの燃焼量を優先してガス比例弁の開度が制御される。
【０００３】
給湯側優先により、同時燃焼時のガス比例弁の開度が小さく、かつ、浴槽から戻ってくる浴槽水の温度が低い場合には、風呂追い焚き用熱交換器の温度があまり上がらず、燃焼排気中の水分が風呂追い焚き用熱交換器に冷却されて結露が生じてしまう。
【０００４】
そこで、上記の結露を防止するための制御が各種提案されている。たとえば、下記特許文献１には、同時燃焼時に、風呂追い焚き用熱交換器から出る循環水の温度に基づいて結露の可能性を判定し、結露の可能性があると判定した場合に、風呂追い焚き用バーナの燃焼を一時的に中断させる技術が開示される。
【０００５】
また、下記特許文献２には、同時燃焼時に、風呂追い焚き用熱交換器への入水温度が所定温度より低く、かつ、ガス比例弁の開度が所定以下の場合に、風呂追い焚き用熱交換器を経由して浴槽水を循環させる循環ポンプの速度を下げて流量を減少させる制御が開示される。風呂追い焚き用熱交換器を流れる浴槽水の流量を下げることで、風呂追い焚き用熱交換器の温度低下を少なくして結露の防止を図っている。
【先行技術文献】
【特許文献】
【０００６】
【特許文献１】特開２００１−３３０９９号公報
【特許文献２】実開平２−１２４４４２号公報
【発明の概要】
【発明が解決しようとする課題】
【０００７】
風呂給湯器から浴槽までの間の配管が長く、圧損が多い場合には、循環ポンプの稼働速度に対して浴槽水の流れが少なくなる。そのため、循環ポンプの速度を下げる制御を行う場合には、風呂追い焚き用熱交換器に浴槽水が流れていることを確認し、循環ポンプの速度を、浴槽水の流れが止まるほど下げないように制限する必要がある。
【０００８】
一般には、風呂追い焚き用熱交換器に浴槽水が流れているか否かは、機械式の流水スイッチのオン／オフで判定される。流水スイッチは、検知可能な最小流量（たとえば、３リットル／分）より流れが少なくなると、実際には流れがあってもオフになる。そのため、結露防止のために循環ポンプの速度を下げる制御は、流水スイッチがオフにならない範囲でしか行えなかった。
【０００９】
本発明は、上記の問題を解決するために成されたものであり、同時燃焼時の結露の発生を風呂追い焚き用熱交換器に流れる浴槽水の流量を下げて抑制する制御において、流水スイッチが検知可能な最小流量よりもさらに流量を少なくすることのできる風呂給湯器を提供することを目的としている。
【課題を解決するための手段】
【００１０】
かかる目的を達成するための本発明の要旨とするところは、次の各項の発明に存する。
【００１１】
［１］給水元に通じる給水管が入側に接続され、出湯先に通じる給湯管が出側に接続された給湯用熱交換器と、
前記給湯用熱交換器を加熱する給湯バーナと、
浴槽に通じる風呂戻り管が入側に接続され、前記浴槽に通じる風呂往き管が出側に接続された風呂追い焚き用熱交換器と、
前記風呂追い焚き用熱交換器を加熱する風呂バーナと、
前記給湯バーナと前記風呂バーナに共通に設けられて、これらに供給するガス量を調整するための比例弁と、
前記浴槽から前記風呂戻り管、前記風呂追い焚き用熱交換器、前記風呂往き管を通じて前記浴槽に戻る風呂追い焚き回路に設けられた循環ポンプと、
前記風呂追い焚き回路における浴槽水の流れの有無を検出する流水スイッチと、
前記風呂戻り管に設けられて管内の水温を検出する風呂戻り温度センサと、
前記風呂往き管に設けられて管内の水温を検出する風呂往き温度センサと、
前記給湯バーナと前記風呂バーナの燃焼および前記循環ポンプの稼働を制御する制御部と
を有し、
前記制御部は、
前記流水スイッチがオンになるまで前記循環ポンプの稼働速度を一旦上げてから、前記循環ポンプの稼働速度を次第に下げていくことを前記流水スイッチがオフになった後も継続し、このとき前記風呂戻り温度センサと前記風呂往き温度センサの検出温度の差と、風呂追い焚き用熱交換器に与えた熱量とから、前記風呂追い焚き回路に流れる浴槽水の流量を算出し、前記循環ポンプの稼働速度を下げているのに前記算出した流量が減少しなければ、前記風呂追い焚き回路における浴槽水の流れが実際に止まったと判定して、前記流水スイッチがオフになる領域において浴槽水の流れを確保可能な前記循環ポンプの最小稼働速度を求める工程を実施し、
給湯と風呂追い焚きを同時に行う場合に、給湯側を優先して前記比例弁の開度を制御すると共に、前記風呂追い焚き熱交換器で結露の可能性があるか否かを判定し、結露の可能性があると判定した場合は、風呂追い焚きを単独で行う場合に比べて、前記循環ポンプの稼働速度を、前記最小稼働速度を下限値にして、下げる制御を行う
ことを特徴とする風呂給湯器。
【００１２】
上記発明では、流水スイッチがオンするまで循環ポンプの稼働速度を一旦上げてから次第に下げていくことを流水スイッチがオフになった後も継続し、このとき風呂戻り温度センサと風呂往き温度センサの検出温度の差と、風呂追い焚き用熱交換器に与えた熱量とから浴槽水の流量を算出する。稼働速度を下げても、算出される流量が減少しないとき浴槽水の流れが実際に止まったと判定し、たとえば、その直前の稼働速度を循環ポンプの最小稼働速度に設定する。給湯と風呂追い焚きを同時に行う場合に、結露の可能性がある場合は、風呂追い焚きを単独で行う場合に比べて循環ポンプの稼働速度を、最小稼働速度を下限値にして、下げる制御を行うことで結露の発生を抑制する。
【００１３】
［２］前記制御部は、給湯と風呂追い焚きを同時に行う場合であって前記結露の可能性があると判定した場合に、前記工程を行って前記最小稼働速度を求め、その後、前記流水スイッチがオンになるまで前記循環ポンプの稼働速度を一旦上げてから、前記下げる制御を行う
ことを特徴とする［１］に記載の風呂給湯器。
【００１４】
上記発明では、最小稼働速度を求める工程は、給湯と風呂追い焚きを同時に行う場合であって結露の可能性があると判定した場合に行う。これにより、必要時にそのときの状況に対応した最小稼働速度を得ることができる。
【００１５】
［３］前記制御部は、給湯と風呂追い焚きを同時に行う場合に前記循環ポンプの稼働速度を前記最小稼働速度まで下げても前記風呂追い焚き用熱交換器で結露する可能性がある場合は、前記給湯バーナへのガスの供給を遮断する
ことを特徴とする［１］または［２］に記載の風呂給湯器。
【００１６】
上記発明では、循環ポンプの稼働速度を下げる制御を行っても結露の発生を防止できない場合は、給湯バーナの燃焼を停止させて、風呂追い焚き用熱交換器での結露の発生を防止する。
【００１７】
［４］前記風呂追い焚き用熱交換器は、潜熱および顕熱を回収する潜熱回収型熱交換器である
ことを特徴とする［１］乃至［３］のいずれか１つに記載の風呂給湯器。
【発明の効果】
【００１８】
本発明に係る風呂給湯器によれば、同時燃焼時の結露の発生を風呂追い焚き用熱交換器に流れる浴槽水の流量を少なくして抑制する制御において、流水スイッチが検知可能な最小流量よりさらに少ない流量まで流量を下げて、結露の抑制効果を高めることができる。
【図面の簡単な説明】
【００１９】
【図１】本発明の実施の形態に係る風呂給湯器の概略構成を示す図である。
【図２】本発明の実施の形態に係る風呂給湯器が行う循環ポンプの稼働速度の制御に関する処理を示す流れ図である。
【図３】最小稼働速度を求める処理（図２のステップＳ１０４の詳細）を示す流れ図である。
【図４】風呂戻り温度と風呂往き温度と加熱量とから算出した浴槽水の流量と、循環ポンプの稼働速度との関係を示す図である。
【発明を実施するための形態】
【００２０】
以下、図面に基づき本発明の実施の形態を説明する。
【００２１】
図１は、本発明の実施の形態に係る風呂給湯器１０の概略構成を示す図である。風呂給湯器１０は、給水を加熱して所定の出湯栓へ給湯する給湯機能、浴槽２へ注湯（湯張り）する注湯機能、浴槽２内の湯水（浴槽水）を追い焚きする風呂追い焚き機能などを備えている。
【００２２】
風呂給湯器１０は、燃焼ファン１１が送風する空気が下方から送り込まれ、上部に排気口１２を備えた縦長筒状の燃焼室１３を備えている。燃焼室１３は、内部が縦向きの仕切り板１４によって２室に仕切られており、その一方に給湯バーナ２１が配置され、他方に風呂バーナ３１が配置されている。給湯バーナ２１は、仕切り板１４に近い順に、バーナＡ、バーナＢ、バーナＣの３つで構成される。風呂バーナ３１は、１つのバーナで構成される。
【００２３】
給湯バーナ２１の上方には、該給湯バーナ２１からの熱で給水を加熱するための給湯用熱交換器２２が配置されている。風呂バーナ３１の上方には、風呂バーナ３１からの熱で浴槽水を加熱するための風呂用熱交換器３２が配置されている。
【００２４】
給湯用熱交換器２２は、主に排気の顕熱を回収する給湯用顕熱熱交換器２２ａと、排気の流れで給湯用顕熱熱交換器２２ａの下流に配置されて、主として排気の潜熱を回収する給湯用潜熱熱交換器２２ｂで構成される。
【００２５】
同様に、風呂用熱交換器３２は、主に排気の顕熱を回収する風呂用顕熱熱交換器３２ａと、排気の流れで風呂用顕熱熱交換器３２ａの下流に配置されて、主として排気の潜熱を回収する風呂用潜熱熱交換器３２ｂで構成される。
【００２６】
燃焼ガスの供給元に接続されるガス供給管４０の途中には、供給元からの燃焼ガスを遮断するか否かを切り替える元ガス電磁弁４１が設けられ、その下流には、給湯バーナ２１や風呂バーナ３１に供給する燃焼ガスの量を任意に調整するためのガス比例弁４２が設けてある。ガス供給管４０は、ガス比例弁４２の下流で４つに分岐し、分岐後の各ガス供給管４０は、給湯バーナ２１のバーナＡ、バーナＢ、バーナＣ、および風呂バーナ３１に至っている。
【００２７】
４つに分岐した後のガス供給管４０のそれぞれには、燃焼ガスの供給を遮断するためのガス電磁弁４３〜４６が設けてある。詳細には、ガス比例弁４２からバーナＡに向かうガス供給管４０の途中には第１給湯ガス電磁弁４３が、ガス比例弁４２からバーナＢに向かうガス供給管４０の途中には第２給湯ガス電磁弁４４が、ガス比例弁４２からバーナＣに向かうガス供給管４０の途中には第３給湯ガス電磁弁４５が、ガス比例弁４２から風呂バーナ３１に向かうガス供給管４０の途中には風呂ガス電磁弁４６が設けてある。
【００２８】
給水元から給水の供給を受ける給水管５０は、給湯用潜熱熱交換器２２ｂの入側に接続され、給湯用潜熱熱交換器２２ｂの出側は給湯用顕熱熱交換器２２ａの入側に接続され、給湯用顕熱熱交換器２２ａの出側には、出湯栓に通じる給湯管５１が接続されている。給湯用潜熱熱交換器２２ｂの入側に至る給水管５０の途中には、給水管５０を流れる給水の水量を検出する水量センサ５２が設けてあり、その下流隣には給水元からの給水量を調整(制限)するための水量サーボ５３が設けてある。
【００２９】
水量サーボ５３の下流の所定箇所で給水管５０から分岐したバイパス管５４は、給湯管５１の所定箇所に合流し接続されている。給水管５０からバイパス管５４が分岐する箇所には、バイパス管５４側に流す給水量を調整するためのバイパス混合弁５５が設けてある。給水管５０、給湯管５１により給湯経路が構成され、バイパス管５４は、給湯経路の入側と出側を、給湯用熱交換器２２を迂回して接続している。
【００３０】
給湯用顕熱熱交換器２２ａの出口とバイパス管５４の合流箇所との間の給湯管５１の所定箇所には、給湯用顕熱熱交換器２２ａから出てくる湯の温度を検出する熱交温度センサ５６が設けてあり、バイパス管５４の合流箇所より下流の給湯管５１の所定箇所には、給湯温度を検出する給湯温度センサ５７が設けてある。
【００３１】
風呂用熱交換器３２の風呂用潜熱熱交換器３２ｂの入側と、浴槽２に設けられた浴槽水取込口３の間は、風呂戻り管６０で接続されている。風呂用潜熱熱交換器３２ｂの出側は風呂用顕熱熱交換器３２ａの入側に接続され、風呂用顕熱熱交換器３２ａの出側は、浴槽２に設けられた浴槽水吐出口４に風呂往き管６１を通じて接続されている。ふろ戻り管６０、風呂用熱交換器３２、ふろ往き管６１は風呂追い焚き回路を構成する。
【００３２】
風呂戻り管６０の途中には、浴槽２内の浴槽水を風呂用熱交換器３２を経て循環させるための循環ポンプ６２が設けてある。更に循環ポンプ６２の下流側の風呂戻り管６０には、風呂戻り管６０に一定以上の湯水の流れがあるか否かを検出するための流水スイッチ６３が設けてある。流水スイッチ６３は、３リットル／分以上の流量ではオンになり、３リットル／分未満の流量ではオフになる。
【００３３】
循環ポンプ６２のやや上流側の風呂戻り管６０には、浴槽２から取り込む浴槽水の温度を検出するための風呂戻り温度センサ６４が設けてある。風呂往き管６１の途中には、風呂往き管６１を通じて浴槽２に戻る浴槽水の温度を検出するための風呂往き温度センサ６５が設けてある。以後、風呂戻り温度センサ６４の検出温度を風呂戻り温度、風呂往き温度センサ６５の検出温度を風呂往き温度とする。
【００３４】
風呂戻り温度センサ６４が設けられた箇所の近傍の風呂戻り管６０と給湯温度センサ５７が設けられた箇所の近傍の給湯管５１は連結管６６で接続されており、連結管６６の途中には、該連結管６６を開通状態と遮断状態とに切り替える注湯電磁弁６７と、風呂戻り管６０側から給湯管５１への逆流を防止するための逆止弁６８が介挿されている。
【００３５】
燃焼室１３の中には、給湯用潜熱熱交換器２２ｂ、風呂用潜熱熱交換器３２ｂの下方に配置されて、これらで生じたドレンを受け止めるドレン受け１５が設けて有り、ドレン受け１５で受け止めたドレンは回収管１６を通じて中和器１７に送られ、該中和器１７で中和された後、排出口から排出される。
【００３６】
このほか、風呂給湯器１０は、風呂給湯器１０の動作を制御する制御部を備えている。制御部には、使用者から各種の設定や運転の指示を受ける操作部および設定内容や運転状況を表示するための表示部を備えたリモートコントローラが接続される。制御部はＣＰＵ（Central Processing Unit）、ＲＯＭ（Read Only Memory）、ＲＡＭ（Random Access Memory）などを主要部とする回路で構成され、ＲＯＭに格納されたプログラムに従ってＣＰＵが各種の処理を実行することで風呂給湯器１０としての動作が実現される。
【００３７】
次に、風呂給湯器１０における給湯動作、注湯動作、風呂追い焚き動作、および給湯と風呂追い焚きの同時使用時の動作の概要を説明する。
【００３８】
＜給湯動作（給湯単独使用）＞
出湯栓が開かれて給水管５０内に通水が生じると、該通水が水量センサ５２によって検出される。水量センサ５２が通水を検出すると、制御部は、給湯バーナ２１を点火し、該給湯バーナ２１で燃焼ガスを燃焼させる。給水元からの給水は、給湯用潜熱熱交換器２２ｂ、給湯用顕熱熱交換器２２ａを通る際に給湯バーナ２１からの排気の熱を受けて加熱され、バイパス混合弁５５が開いているときはさらにバイパス管５４からの給水と混合された後、出湯栓へ出湯される。制御部は、給湯温度センサ５７の検出する給湯温度が給湯設定温度になるように、給湯バーナ２１の燃焼量やバイパス混合弁５５の開度等を制御する。水量センサ５２が通水を検出しなくなると、給湯バーナ２１への燃焼ガスの供給を遮断して給湯バーナ２１の燃焼を停止させる。
【００３９】
給湯バーナ２１の燃焼量は、バーナＡ、バーナＢ、バーナＣのうちの１または複数個のどのバーナを燃焼させるかと、ガス比例弁４２の開度によって制御される。
【００４０】
＜注湯動作＞
注湯動作は、リモートコントローラから、風呂の自動運転や注湯の指示を受けた場合に実行される。注湯動作では、制御部は、注湯電磁弁６７を開くと共に、給湯バーナ２１を点火して該給湯バーナ２１で燃焼ガスを燃焼させる。これにより、給水元からの給水は、給湯用潜熱熱交換器２２ｂ、給湯用顕熱熱交換器２２ａを通る際に給湯バーナ２１からの排気の熱を受けて加熱され、さらにバイパス混合弁５５が開いている場合はバイパス管５４からの給水と混合された後、連結管６６を通じて風呂戻り管６０に流れ込み、該風呂戻り管６０および風呂往き管６１を通じて浴槽２に注湯される。
【００４１】
浴槽２が設定された水位になったら注湯動作は停止される。具体的には、注湯電磁弁６７を閉じると共に、給湯バーナ２１への燃焼ガスの供給を遮断して給湯バーナ２１の燃焼を停止させる。
【００４２】
＜風呂追い焚き動作＞
風呂追い焚き動作は、風呂の自動運転の指示に基づいて上記の注湯動作が行われて設定水位に湯張りされた後、浴槽２内の浴槽水の温度を風呂設定温度まで昇温させるとき、あるいは、風呂の自動運転中に浴槽２内の湯水を風呂設定温度に維持するために昇温するとき、あるいは、使用者から追い焚きの指示を受けた場合に実行される。
【００４３】
風呂追い焚き動作では、制御部は、循環ポンプ６２をオンして所定の稼働速度（通常稼働速度）で駆動すると共に、風呂バーナ３１を点火して該風呂バーナ３１で燃焼ガスを燃焼させる。循環ポンプ６２の作用により、浴槽２内の浴槽水は、風呂戻り管６０に取り込まれ、該風呂戻り管６０、風呂用潜熱熱交換器３２ｂ、風呂用顕熱熱交換器３２ａ、風呂往き管６１を経て浴槽２に戻るように循環する。浴槽水は、風呂用潜熱熱交換器３２ｂ、風呂用顕熱熱交換器３２ａを通る際に風呂バーナ３１からの排気の熱を受けて昇温される。
【００４４】
＜給湯と風呂追い焚きの同時使用＞
給湯と風呂追い焚きの同時使用は、たとえば、風呂追い焚き動作中に、出湯栓が開かれて給湯する場合等に生じる。給湯と風呂追い焚きの同時使用では、ガス比例弁４２の開度は、給湯動作に基づいて（給湯側を優先して）制御される。すなわち、給湯設定温度で給湯するために必要な燃焼量で給湯バーナ２１が燃焼するように、バーナＡ〜Ｃの選択およびガス比例弁４２の開度の制御が行われる。
【００４５】
このとき、ガス比例弁４２の開度が小さく、かつ、浴槽２から戻ってくる浴槽水の温度が低い場合には、風呂用熱交換器３２（特に、風呂用顕熱熱交換器３２ａ）の温度があまり上がらず、燃焼排気中の水分が風呂用顕熱熱交換器３２ａで結露する可能性がある。
【００４６】
そこで、本実施の形態に係る風呂給湯器１０は、給湯と風呂追い焚きの同時使用時（循環ポンプ６２は通常稼働速度で駆動）に、風呂用顕熱熱交換器３２ａで結露の可能性があるか否かを判定し、結露の可能性がある場合には、循環ポンプ６２の稼働速度を、通常稼働速度よりも下げる制御を行う。これにより風呂用熱交換器３２（特に風呂用顕熱熱交換器３２ａ）の温度低下を少なくして風呂用顕熱熱交換器３２ａでの結露の発生を抑制する。
【００４７】
図２は、風呂追い焚き時に循環ポンプ６２の稼働速度を制御する処理の流れを示している。風呂追い焚き単独使用か否かを調べ（ステップＳ１０１）、風呂追い焚き単独使用のときは（ステップＳ１０１；Ｙｅｓ）、循環ポンプ６２を通常稼働速度で駆動して、風呂追い焚き動作を行う（ステップＳ１０３）。
【００４８】
一方、給湯と風呂追い焚きを同時使用する場合は（ステップＳ１０１；Ｎｏ）、循環ポンプ６２を通常稼働速度で駆動したら、風呂用熱交換器３２に結露の可能性があるか否かを判定する（ステップＳ１０２）。
【００４９】
たとえば、風呂追い焚き中に風呂往き温度センサ６５が検出した風呂往き温度が一定温度以下の場合に、結露の可能性があると判定する。また、風呂戻り温度センサ６４が検出する風呂戻り温度と、風呂用熱交換器３２の加熱量（主として風呂バーナ３１の燃焼量）と、循環ポンプ６２の通常稼働速度での流量とから風呂用熱交換器３２から出る湯の温度を推定し、該推定した温度に基づいて結露の可能性を判定してもよい。
【００５０】
結露の可能性がないと判定した場合は（ステップＳ１０２；Ｎｏ）、ステップＳ１０３に移行し、循環ポンプ６２を通常稼働速度で駆動して、風呂追い焚き動作を行う。
【００５１】
循環ポンプ６２を通常稼働速度で稼働すると結露の可能性があると判定した場合は（ステップＳ１０２；Ｙｅｓ）、風呂追い焚き動作において、浴槽水の流れを確保できる、循環ポンプ６２の最小稼働速度を求める（ステップＳ１０４）。最小稼働速度は、流水スイッチ６３がオンからオフになるときの稼働速度よりさらに低い稼働速度である。
【００５２】
図３は、最小稼働速度を求める処理の流れを示している。まず、流水スイッチ６３がオンになるまで循環ポンプ６２の稼働速度を上げて浴槽水を風呂追い焚き回路に循環させる（ステップＳ２０１）。その後、循環ポンプ６２の稼働速度を一定量下げる（ステップＳ２０２）。そして、ふろ戻り温度センサ６４が検出する風呂戻り温度とふろ往き温度センサ６５が検出する風呂往き温度の差と、風呂用熱交換器３２に与えている熱量とから風呂追い焚き回路に流れる浴槽水の流量を算出する。そして、算出した流量を現時点の循環ポンプ６２の稼働速度（制御値）に対応付けて記録する（ステップＳ２０３）。
【００５３】
現在の稼働速度で流水スイッチ６３がオンならば（ステップＳ２０４；Ｙｅｓ）、ステップＳ２０２に戻って処理を継続する。すなわち、一定量ずつ段階的に循環ポンプ６２の稼働速度を低下させる。
【００５４】
現在の稼働速度で流水スイッチ６３がオフの場合にも（ステップＳ２０４；Ｎｏ）、循環ポンプ６２の稼働速度を一定量下げる（ステップＳ２０５）。そして、ふろ戻り温度センサ６４が検出する風呂戻り温度とふろ往き温度センサ６５が検出する風呂往き温度の差と、風呂用熱交換器３２に与えている熱量とから風呂追い焚き回路に流れる浴槽水の流量を算出する（ステップＳ２０６）。
【００５５】
算出した流量が、前回算出した流量より減少しているか否かを調べる（ステップＳ２０７）。減少しているならば（ステップＳ２０７；Ｙｅｓ）、算出した流量を現時点の循環ポンプ６２の稼働速度（制御値）に対応付けて記録して（ステップＳ２０８）、ステップＳ２０５に戻って処理を継続する。すなわち、一定量ずつ段階的に循環ポンプ６２の稼働速度を低下させる処理を継続する。
【００５６】
算出した流量が、前回算出した流量より減少していなければ（ステップＳ２０７；Ｎｏ）、前回の稼働速度を最小稼働速度に設定して（ステップＳ２０９）、本処理を終了する。なお、前回算出した流量は、実際に流れを確保できる最小流量である。
【００５７】
図４は、ステップＳ２０３、Ｓ２０６で算出された流量と循環ポンプ６２の稼働速度との関係をグラフ化したものの一例を示している。実際に風呂追い焚き回路に浴槽水が流れている間は、循環ポンプ６２の稼働速度を下げれば、それに応じて、算出される流量も低下する。たとえば、風呂用熱交換器３２に与えられる熱量が一定ならば、稼働速度を下げれば、その分だけ、風呂往き温度が高くなって風呂戻り温度との差が大きくなり、算出される流量が減少する。
【００５８】
しかし、浴槽水の流れが止まると、風呂用熱交換器３２内の湯温は上昇するが、その湯が風呂用熱交換器３２から流れ出ないので、風呂往き温度センサ６５の検出温度は、前回と同じか、もしくは配管からの放熱によって低下する。したがって、算出される流量は減少せず、前回と同じであるかまたは増加する。そこで、稼働速度を低下させたにもかかわらず、流量が減少しない場合に、浴槽水の流れが止まったと判定する。
【００５９】
なお、風呂戻り温度と風呂往き温度の差と、風呂用熱交換器３２に与えている熱量とから風呂追い焚き回路に流れる浴槽水の流量を算出するだけでは、実際に浴槽水の流れが止まっていても、風呂戻り温度と風呂往き温度にある程度の差が生じるので、流れが存在するかのような流量が算出されてしまう。そこで、本発明では、循環ポンプ６２の稼働速度を次第に下げた場合に算出される流量の変化に基づいて、実際に浴槽水の流れが止まったことを認識する。
【００６０】
なお、流水スイッチ６３がオンになるまで循環ポンプ６２の稼働速度を一旦上げてから、循環ポンプ６２の稼働速度を次第に下げて流量の変化を監視するので、実際に流れがあることを流水スイッチ６３で確認した状態から流量の変化を監視でき、流れのある状態から流れが止まったときの変化を確実に捉えることができる。
【００６１】
図２に戻って説明を続ける。上記のようにして最小稼働速度を求めたら、次に、結露を防止することが可能になる循環ポンプ６２の稼働速度（目標稼働速度）を求める（ステップＳ１０５）。すなわち、現在の風呂戻り温度、風呂用熱交換器３２の加熱量等から、風呂用顕熱熱交換器３２ａの出側の温度（風呂往き温度）を、風呂用顕熱熱交換器３２ａでの結露を防止可能な温度にするために必要な浴槽水の流量（結露を防止できる流量の中の最大値）を求め、該流量（目標流量）を得るための循環ポンプ６２の稼働速度を目標稼働速度として求める。このとき、図３の処理で記録した稼働速度と流量との関係（図４のグラフ）を利用する。
【００６２】
次に、目標稼働速度が最小稼働速度以上か否かを判定する（ステップＳ１０６）。目標稼働速度が最小稼働速度以上ならば（ステップＳ１０６；Ｙｅｓ）、循環ポンプ６２の稼働速度を流水スイッチ６３がオンになるまで一度上げてから次第に下げていき、実際に浴槽水の流れがあることを確認しながら目標稼働速度まで下げることができたら、該目標稼働速度で循環ポンプ６２の駆動を継続して風呂追い焚き動作と給湯動作を同時に行う（ステップＳ１０７）。このとき、目標稼働速度によっては、流水スイッチ６３がオフの状態で風呂追い焚き動作が行われる。
【００６３】
目標稼働速度が最小稼働速度未満ならば（ステップＳ１０６；Ｎｏ）、浴槽水の流量を限界まで下げても結露が生じるので、別の方法で結露を防止する。ここでは、風呂バーナ３１への燃焼ガスの供給を遮断し、給湯バーナ２１のみを燃焼させて給湯単独動作を行う（ステップＳ１０８）ことで結露を防止する。
【００６４】
なお、ステップＳ１０６の比較では、最小稼働速度に代えて最小流量を使用し、目標稼働速度に代えて目標流量を使用し、目標流量が最小流量以上か否かを判定してもよい。
【００６５】
このように、給湯と風呂追い焚きを同時使用する場合に、風呂追い焚き回路を循環する浴槽水の流量を、流水スイッチ６３が流れを検出可能な最小流量よりさらに少ない流量まで下げて風呂追い焚き動作を継続させることができるので、結露防止のために風呂追い焚き動作を中断させる機会が減り、風呂追い焚き完了までに要する時間の長期化を抑制することができる。
【００６６】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６７】
実施の形態では、給湯バーナ２１、風呂バーナ３１として潜熱熱交換器と顕熱熱交換器を有するタイプを例示したが、顕熱熱交換器のみであっても本発明は適用される。
【００６８】
実施の形態では、算出される流量が、循環ポンプ６２の稼働速度を下げても下がらない場合に、浴槽水の流れが止まったと判定したが、風呂用熱交換器３２に与えられる熱量が一定ならば、ふろ往き温度センサ６５が検出する温度の変化に基づいて、浴槽水の流れの停止を判定してもよい。すなわち、風呂用熱交換器３２に与えられる熱量が一定ならば、流れがあるうちは、循環ポンプ６２の稼働速度の低下に伴って風呂往き温度が上昇するが、流れが止まると、循環ポンプ６２の稼働速度を下げても風呂往き温度が上昇しなくなるので、その変化を捉えて、浴槽水の流れの停止を判定する。
【００６９】
実施の形態では、給湯と風呂追い焚きの同時使用であって結露の可能性があると判定した場合に、最小稼働速度を求める処理を行うようにしたが、最小稼働速度は別のタイミングで行われてもよい。たとえば、風呂追い焚き単独動作を行う際に最小稼働速度を求めておき、このとき求めた最小稼働速度を利用して同時燃焼時のステップＳ１０６の判定を行うようにされてもよい。
【００７０】
実施の形態では、循環ポンプ６２の稼働速度を一定量さげることで浴槽水の流れが止まった場合に、前回の稼働速度を、最小稼働速度に設定するようにしたが（図３、ステップＳ２０９）、最小稼働速度は、流水スイッチ６３がオフになる領域において浴槽水の流れを確保可能な稼働速度であればよく、たとえば、前々回の稼働速度で既に流水スイッチ６３がオフになっていれば、前々回の稼働速度を最小稼働速度としてもよい。流水スイッチ６３がオフになる領域にあれば、浴槽水の流れが止まったと判定した稼働速度からどの程度のマージンを見て最小稼働速度を設定するかは任意でよい。
【００７１】
実施の形態では、燃焼室１３を仕切り板１４によって２室に仕切り、一方を給湯用の燃焼室、他方を風呂追い焚き用の燃焼室とする構成の風呂給湯器１０を例示したが、これに限定されるものではない。たとえば、給湯用と風呂追い焚き用の燃焼室を別々の缶体で構成してもよい。
【符号の説明】
【００７２】
２…浴槽
３…浴槽水取込口
４…浴槽水吐出口
１０…風呂給湯器
１１…燃焼ファン
１２…排気口
１３…燃焼室
１４…仕切り板
１５…ドレン受け
１６…回収管
１７…中和器
２１…給湯バーナ（バーナＡ、Ｂ、Ｃ）
２２…給湯用熱交換器
２２ａ…給湯用顕熱熱交換器
２２ｂ…給湯用潜熱熱交換器
３１…風呂バーナ
３２…風呂用熱交換器
３２ａ…風呂用顕熱熱交換器
３２ｂ…風呂用潜熱熱交換器
４０…ガス供給管
４１…元ガス電磁弁
４２…ガス比例弁
４３…第１給湯ガス電磁弁
４４…第２給湯ガス電磁弁
４５…第３給湯ガス電磁弁
４６…風呂ガス電磁弁
５０…給水管
５１…給湯管
５２…水量センサ
５３…水量サーボ
５４…バイパス管
５５…バイパス混合弁
５６…熱交温度センサ
５７…給湯温度センサ
６０…風呂戻り管
６１…風呂往き管
６２…循環ポンプ
６３…流水スイッチ
６４…風呂戻り温度センサ
６５…風呂往き温度センサ
６６…連結管
６７…注湯電磁弁
６８…逆止弁
【図１】
2017122535.tif 000003
【図２】
2017122535.tif 000004
【図３】
2017122535.tif 000005
【図４】
2017122535.tif 000006